(57)【要約】【課題】複数の設備機器の設備管理を簡易な構成で実現可能とし、ユーザの利便性を向上する。【解決手段】設備管理システム１００は、設備機器を制御する制御端末２ａ、２ｂと設備機器を協調制御するための協調制御情報を記憶する設備管理装置１とを備える。設備機器は、空調機器３ａ、３ｂ、３ｃ、３ｄ、３ｅ、３ｆである。制御端末２ａ、２ｂは、設備管理装置１に協調制御情報の送信を要求し、設備管理装置１から協調制御情報を取得する。制御端末２ａ、２ｂは、取得した協調制御情報の内容に応じて定義されている制御内容に基づいて空調機器３ａ、３ｂ、３ｃ、３ｄ、３ｅ、３ｆを制御する。【選択図】図１
2017203587.tif 000002
【特許請求の範囲】
【請求項１】
設備機器を制御する機器制御手段と、
前記設備機器を協調制御するための協調制御情報を記憶する設備管理装置に該協調制御情報の送信を要求し、該設備管理装置から該協調制御情報を取得する協調制御情報取得手段と、
前記協調制御情報の内容に応じて定義された制御内容を記憶する記憶手段と、
を備え、
前記機器制御手段は、前記協調制御情報取得手段によって取得された前記協調制御情報を前記記憶手段に記憶されている前記制御内容に変換し、該変換した制御内容に基づいて前記設備機器を制御する、制御端末。
【請求項２】
前記設備機器の運転状態、異常情報及び履歴情報の少なくともいずれか１つ以上を含む運用情報を、前記設備管理装置又は遠隔地のサーバに送信する、
請求項１に記載の制御端末。
【請求項３】
前記設備機器は、空調機器、照明機器及び換気機器のいずれかである、
請求項１又は２に記載の制御端末。
【請求項４】
設備機器を協調制御するための協調制御情報を記憶する設備管理装置であって、
前記設備機器を制御する制御端末から受信した送信要求に応じて協調制御情報を送信する、設備管理装置。
【請求項５】
表示手段を備え、
前記制御端末から、前記設備機器の運転状態、異常情報及び履歴情報の少なくともいずれか１つ以上を含む運用情報を受信し、該運用情報を前記表示手段に表示させる、
請求項４に記載の設備管理装置。
【請求項６】
前記制御端末から、前記設備機器の運転状態、異常情報及び履歴情報の少なくともいずれか１つ以上を含む運用情報を受信し、該運用情報に基づいて前記協調制御情報を生成し、該協調制御情報を前記制御端末へ送信する、
請求項４に記載の設備管理装置。
【請求項７】
設備機器を制御する制御端末と、
前記設備機器を協調制御するための協調制御情報を記憶する設備管理装置と、
を備える設備管理システムであって、
前記制御端末は、前記設備管理装置に前記協調制御情報の送信を要求し、該設備管理装置から前記協調制御情報を取得し、前記取得した協調制御情報の内容に応じて定義されている制御内容に基づいて前記設備機器を制御する、設備管理システム。
【請求項８】
設備機器を制御する制御端末が、該設備機器を協調制御するための協調制御情報を記憶する設備管理装置に該協調制御情報の送信を要求する要求ステップと、
前記設備管理装置が、前記要求に応じて前記協調制御情報を前記制御端末に送信する送信ステップと、
前記制御端末が、前記送信ステップにおいて前記設備管理装置から受信した協調制御情報の内容に応じて定義されている制御内容に基づいて前記設備機器を制御する機器制御ステップと、
を含む設備制御方法。
【請求項９】
設備機器を協調制御するための協調制御情報の内容に応じて定義された制御内容を記憶する記憶手段を備えるコンピュータに、
前記協調制御情報を記憶する設備管理装置に前記協調制御情報の送信を要求し、該設備管理装置から前記協調制御情報を取得する協調制御情報取得手順、
前記協調制御情報取得手順において取得された前記協調制御情報を前記記憶手段に記憶されている前記制御内容に変換し、該変換した制御内容に基づいて該設備機器を制御する機器制御手順、
を実行させるためのプログラム。
【発明の詳細な説明】
【技術分野】
【０００１】
本発明は、制御端末、設備管理装置、設備管理システム、設備制御方法及びプログラムに関する。
【背景技術】
【０００２】
近年、複数の設備機器を管理する設備管理システムが普及している。また、省エネルギーへの関心が高まり、設備管理システムによって、建物内に設置される空調機器、照明機器、換気機器などの設備機器をまとめて効率的に運用管理することが求められている。
【０００３】
例えば、特許文献１には、集中管理装置を備える空調機集中管理システムが開示されている。この集中管理装置は、室内に設置された複数の空調機器を１台で集中して管理、制御する。具体的には、集中管理装置は、複数の空調機器の運転状態を表示部に表示させ、操作入力に基づいて選択された空調機器のオンオフ制御を行う。また、オンオフ制御は、温度センサで検出された温度データを受信して、その温度データと空調機器の設定温度との比較結果に基づいて行われる。
【先行技術文献】
【特許文献】
【０００４】
【特許文献１】特開２００２−１３０７８１号公報
【発明の概要】
【発明が解決しようとする課題】
【０００５】
特許文献１が開示する空調機集中管理システムでは、集中管理装置に、複数の空調機器を管理する機能と、複数の空調機器を制御する機能とが集中している。また、複数の空調機器を制御する機能は、複数の空調機器を個別的に制御するものである。
【０００６】
この場合、集中管理装置は、各空調機器の仕様、空調機器と温度センサとの対応関係等の情報を設定するための構成を必要とする。また、集中管理装置は、複数の空調機器の運転状態、複数の温度センサで検出された温度データ等を取得し、それらに基づいて各空調機器のオンオフ制御を行うための構成を必要とする。
【０００７】
したがって、集中管理装置は、複数の空調機器を全体的に管理し、かつ個別的な制御も併せて行う構成になっているため、複雑な構成となってしまう。また、空調機器を変更した場合、ユーザは、集中管理装置に設定されている複数の空調機器の個別的な制御内容についても設定変更を行わなければならない。そのため、複数の空調機器の設備管理において、ユーザの利便性が低い。
【０００８】
本発明は、上記実情に鑑みてなされたものであり、複数の設備機器の設備管理を簡易な構成で実現可能とし、ユーザの利便性を向上することを目的とする。
【課題を解決するための手段】
【０００９】
上記目的を達成するため、本発明に係る制御端末は、
設備機器を制御する機器制御手段と、
前記設備機器を協調制御するための協調制御情報を記憶する設備管理装置に該協調制御情報の送信を要求し、該設備管理装置から該協調制御情報を取得する協調制御情報取得手段と、
前記協調制御情報の内容に応じて定義された制御内容を記憶する記憶手段と、
を備え、
前記機器制御手段は、前記協調制御情報取得手段によって取得された前記協調制御情報を前記記憶手段に記憶されている前記制御内容に変換し、該変換した制御内容に基づいて前記設備機器を制御する。
【発明の効果】
【００１０】
本発明によれば、複数の設備機器の設備管理を簡易な構成で実現可能とし、ユーザの利便性を向上することができる。
【図面の簡単な説明】
【００１１】
【図１】本発明の実施形態に係る設備管理システムの構成を示す図である。
【図２】図１に示す設備管理装置の構成を示すブロック図である。
【図３】図１に示す制御端末の構成を示すブロック図である。
【図４】図１に示す制御端末が取得する運用情報の一例を示す図である。
【図５】図１に示す制御端末の協調制御情報と制御内容とを関連付けた情報変換テーブルの一例を示す図である。
【図６】図１に示す制御端末が行う協調制御処理のフローチャートである。
【図７】図１に示す設備管理装置が行う協調制御処理のフローチャートである。
【図８】変形例に係る情報変換テーブルを示す図である。
【発明を実施するための形態】
【００１２】
以下、本発明の実施形態について図面を参照して詳細に説明する。ここでは、空調機器の設備管理を行う設備管理システムを一例として説明する。
【００１３】
まず、図１を参照しながら、実施形態に係る設備管理システム１００の構成について概略的に説明する。設備管理システム１００は、空調機器３ａ、３ｂ、３ｃ、３ｄ、３ｅ、３ｆを管理する設備管理装置１と、空調機器３ａ、３ｂを制御する制御端末２ａと、空調機器３ｃ、３ｄ、３ｅ、３ｆを制御する制御端末２ｂとを備える。
【００１４】
制御端末２ａによって制御される空調機器３ａ、３ｂは、空調機器群４ａを構成する。制御端末２ｂによって制御される空調機器３ｃ、３ｄ、３ｅ、３ｆは、空調機器群４ｂを構成する。
【００１５】
破線で示すように、設備管理装置１と制御端末２ａ、２ｂとは、無線通信可能に接続される。実線で示すように、制御端末２ａと空調機器３ａ、３ｂとは通信可能に有線で接続される。実線で示すように、制御端末２ｂと空調機器３ｃ、３ｄ、３ｅ、３ｆとは通信可能に有線で接続される。なお、これらの有線による接続は、空調通信ネットワークとも称される。
【００１６】
次に、設備管理システム１００を構成する設備管理装置１と制御端末２ａ、２ｂの構成について詳細に説明する。
【００１７】
図２に示すように、設備管理装置１は、制御端末２ａ、２ｂと無線通信を行う無線通信部１１と、画像を表示する表示部１２と、各種プログラム及びデータを記憶する記憶部１３と、ユーザ入力を受け付ける入力部１４と、設備管理装置１を統括的に制御する制御部１５とを備える。これらの構成部は、バス１６を介して相互に接続される。
【００１８】
無線通信部１１は、無線通信を行うためのＮＩＣ（Network Interface Card controller）、アンテナ等から構成される。無線通信部１１は、制御端末２ａ、２ｂに無線通信可能に接続される。無線通信部１１は、例えば、制御端末２ａ又は制御端末２ｂから協調制御情報１０１の送信要求信号を受信する。
【００１９】
表示部１２は、例えば、ＬＣＤ（Liquid Crystal Display）、ＰＤＰ（Plasma Display Panel）、ＥＬ（Electroluminescence）ディスプレイ等から構成される。表示部１２は、制御部１５からの指示に従って操作画面、動作状態、後述する運用情報等を表示する。
【００２０】
記憶部１３は、例えば書き換え可能な不揮発性の半導体メモリやハードディスクドライブから構成される。記憶部１３は、協調制御処理に用いられる各種プログラム、入力データ及び送受信データ等の各種データを記憶する。また、記憶部１３は、ユーザが入力部１４から入力した協調制御情報１０１を記憶する。本実施形態に係る協調制御処理は、制御対象となる複数の空調機器３ａ〜３ｆを協調的に制御する処理である。協調制御情報１０１は、制御端末２ａ及び制御端末２ｂに、複数の空調機器３ａ〜３ｆを協調制御させるための制御情報である。
【００２１】
入力部１４は、タッチパネル、操作ボタン等から構成される。入力部１４は、ユーザの操作やデータ入力（例えば協調制御情報１０１の入力）を受け付ける。
【００２２】
制御部１５は、例えばＣＰＵ（Central Processing Unit）、ＲＡＭ（Random Access Memory）、ＲＯＭ（Read Only Memory）等から構成される。制御部１５は、記憶部１３に記憶されるプログラムに従って、協調制御処理を実現するための各種処理を実行する。例えば、制御部１５は、無線通信部１１が受信した協調制御情報１０１の送信要求信号に応答して、記憶部１３に記憶されている協調制御情報１０１を無線通信部１１を介して送信する。
【００２３】
次に、図１に示す制御端末２ａの構成を説明する。なお、制御端末２ｂの構成は、制御端末２ａと同様である。そのため、制御端末２ｂの構成要素については、以下に述べる制御端末２ａの構成要素と同一の符号を付して説明する。
【００２４】
図３に示すように、制御端末２ａは、設備管理装置１と無線通信を行う無線通信部２１と、空調機器３ａ、３ｂと有線通信を行う空調通信部２２と、各種プログラム及びデータを記憶する記憶部２３と、ユーザ入力を受け付ける入力部２４と、制御端末２ａを統括的に制御する制御部２５とを備える。これらの構成部は、バス２６を介して相互に接続される。
【００２５】
無線通信部２１は、無線通信を行うためのＮＩＣ、アンテナ等から構成され、設備管理装置１に無線通信可能に接続される。
【００２６】
空調通信部２２は、有線通信を行うための通信インタフェースから構成され、空調機器３ａ、３ｂと通信するための通信線が接続される。
【００２７】
記憶部２３は、例えば書き換え可能な不揮発性の半導体メモリ、ハードディスクドライブ等から構成される。記憶部２３は、協調制御処理に用いられる各種プログラム、入力データ及び送受信データ等の各種データを記憶する。また、記憶部２３は、設備管理装置１から受信した協調制御情報１０１を具体的な制御内容に変換するための情報変換テーブル２０１を記憶する。情報変換テーブル２０１の具体的な内容については後述する。
【００２８】
入力部２４は、タッチパネル、操作ボタン等から構成される。入力部２４は、ユーザの操作、データ入力等を受け付ける。
【００２９】
制御部２５は、例えばＣＰＵ、ＲＡＭ、ＲＯＭ等から構成される。制御部２５は、機能的には、協調制御情報取得部２０２と、運用情報取得部２０３と、制御内容送信制御部２０４とを備える。これらの各機能部は、制御部２５が記憶部２３に記憶されている１又は複数のプログラムを実行することで実現される。
【００３０】
協調制御情報取得部２０２は、無線通信部２１を介して、協調制御情報１０１の送信要求信号を設備管理装置１へ送信する。また、協調制御情報取得部２０２は、無線通信部２１を介して設備管理装置１から協調制御情報１０１を取得する。これにより、制御端末２ａ、２ｂは、協調制御情報１０１を自発的に取得することができる。
【００３１】
運用情報取得部２０３は、空調通信部２２を介して空調機器３ａ、３ｂの運用情報を受信する。これにより、運用情報が取得される。また、運用情報取得部２０３は、無線通信部２１を介して、空調機器３ａ、３ｂの運用情報を設備管理装置１へ送信する。なお、運用情報には、空調機器３ａ、３ｂの運転状態、異常情報及び履歴情報の少なくともいずれか１つ以上が含まれる。
【００３２】
運転状態は、例えば、電源のオンオフ状態、冷房運転、暖房運転、送風運転等の運転モードの設定状態、設定温度等を示す情報である。異常情報は、例えば、異常の有無、異常の内容等を示す情報である。履歴情報は、運転状態、異常情報等の履歴を示す情報である。図４に運転情報と異常情報とを含む運用情報の一例を示す。なお、履歴情報は、例えば図４に示す運転情報又は異常情報の変化を時系列で示すイベントログ又は設定温度の推移を示すグラフである。
【００３３】
制御内容送信制御部２０４は、記憶部２３に記憶されている情報変換テーブル２０１を参照して、協調制御情報取得部２０２が取得した協調制御情報１０１に関連付けられて記憶している制御内容を取得する。制御内容送信制御部２０４は、取得した制御内容を空調通信部２２を介して空調機器３ａ、３ｂへ送信する。これにより、空調機器３ａ、３ｂが制御される。
【００３４】
ここで、図５を参照しながら、情報変換テーブル２０１について説明する。協調制御情報１０１は、空調機器群４ａ又は空調機器群４ｂが全体として達成すべき目標に関連する情報である。この協調制御情報１０１に基づいて空調機器群４ａの空調機器３ａ、３ｂ又は空調機器群４ｂの空調機器３ｃ、３ｄ、３ｅ、３ｆの個別的で詳細な制御内容が選択される。ここでは、協調制御情報１０１が省エネレベルを示す情報である場合を一例として説明する。協調制御情報１０１が示す省エネレベルは、レベル１〜５のいずれかである。
【００３５】
この例では、情報変換テーブル２０１は、設備管理装置１から受信する協調制御情報１０１が示す複数の省エネレベル（レベル１〜５）と、当該複数の省エネレベルに関連付けられた複数の制御内容とを示している。制御内容は、空調機器３ａ、３ｂの運転停止条件、目標温度、運転モード、風速をどのようにするかを示す情報である。省エネレベルは、レベルが高いほど省エネの度合いが高くなるような制御内容が関連付けられている。
【００３６】
例えば、協調制御情報１０１がレベル１を示す場合、制御内容送信制御部２０４によって選択される制御内容は、運転停止条件がユーザ設定、目標温度がユーザ設定、運転モードがユーザ設定、風速がユーザ設定となる。協調制御情報１０１がレベル５を示す場合、制御内容送信制御部２０４によって選択される制御内容は、運転停止条件が目標温度到達時、目標温度が室温±５℃、運転モードが自動２値、風速が弱となる。
【００３７】
以下、設備管理システム１００において実行される協調制御処理について説明する。なお、この協調制御処理を行う前提として、ユーザが設備管理装置１に好ましい省エネレベルを協調制御情報１０１として設定しているものとする。ユーザは、省エネレベルを設定する際、設備管理装置１に表示された運用情報を参考にすることも可能である。また、保守業者、設置業者または製造事業者が、空調制御端末２ａ、２ｂに、協調制御情報１０１が示す複数の省エネレベルに関連付けた複数の制御内容を情報変換テーブル２０１として設定しているものとする。
【００３８】
図６を参照しながら、制御端末２ａ、２ｂが行う協調制御処理について説明する。この協調制御処理は、定期的又はユーザが設定したタイミングで繰り返し実行される。
【００３９】
まず、制御端末２ａ、２ｂは、それぞれ定期的又はユーザが設定したタイミングにおいて、設備管理装置１に協調制御情報１０１の送信要求信号を送信する（ステップＳ１０１）。
【００４０】
送信要求信号は、設備管理装置１に協調制御情報１０１の送信を要求する信号である。なお、処理の分散化のために、制御端末２ａと制御端末２ｂとの送信要求信号の送信タイミングをずらしておくことが好ましい。
【００４１】
次に、制御端末２ａ、２ｂの制御部２５は、協調制御情報１０１を受信可能な状態に無線通信部２１を制御する。そのうえで、制御端末２ａ、２ｂの制御部２５は、予め定められたタイムアウト時間内に、設備管理装置１から協調制御情報１０１を受信できたかどうかを判別する（ステップＳ１０２）。
【００４２】
協調制御情報１０１を受信できていないと判別した場合（ステップＳ１０２；Ｎｏ）、制御端末２ａ、２ｂの制御部２５は、以降の処理（ステップＳ１０３〜Ｓ１０５）をスキップする。
【００４３】
一方、協調制御情報１０１を受信できたと判別した場合（ステップＳ１０２；Ｙｅｓ）、制御端末２ａ、２ｂの制御部２５は、受信した協調制御情報１０１に関連付けられた制御内容を記憶部２３の情報変換テーブル２０１から取得する（ステップＳ１０３）。例えば、受信した協調制御情報１０１が示す省エネがレベル１である場合、制御端末２ａ、２ｂの制御部２５は、情報変換テーブル２０１から、運転停止条件がユーザ設定、目標温度がユーザ設定、運転モードがユーザ設定、風速がユーザ設定、という制御内容を取得する。
【００４４】
制御端末２ａ、２ｂの制御部２５は、取得した協調制御情報１０１が示す省エネレベルに差分があるかどうかを判別する（ステップＳ１０４）。差分があるというのは、前回取得した協調制御情報１０１が示す省エネレベルと今回取得した協調制御情報１０１が示す省エネレベルとが異なることを意味する。差分がないと判別した場合（ステップＳ１０４；Ｎｏ）、制御内容に変更がないため、制御端末２ａ、２ｂの制御部２５は、次のステップＳ１０５の処理をスキップする。
【００４５】
一方、差分があると判別した場合（ステップＳ１０４；Ｙｅｓ）、制御端末２ａ、２ｂの制御部２５は、空調通信部２２を制御することによって、空調機器３ａ、３ｂ、空調機器３ｃ、３ｄ、３ｅ、３ｆへ制御内容に基づく指令を送信する（ステップＳ１０５）。空調機器３ａ、３ｂ、３ｃ、３ｄ、３ｅ、３ｆは、それぞれ受信した制御内容に基づく動作を実行する。
【００４６】
例えば、前回取得した協調制御情報１０１が示す省エネレベルがレベル５であり、今回取得した協調制御情報１０１が示す省エネレベルがレベル１である場合には、制御端末２ａ、２ｂの制御部２５は、運転停止条件がユーザ設定、目標温度がユーザ設定、運転モードがユーザ設定、風速がユーザ設定、という制御内容に基づく指令を空調機器３ａ、３ｂ、空調機器３ｃ、３ｄ、３ｅ、３ｆへ送信する。
【００４７】
以上、制御端末２ａ、２ｂが行う協調制御処理について説明した。以下、図７を参照しながら、設備管理装置１が行う協調制御処理について説明する。この協調制御処理は、定期的又はユーザが設定したタイミングで繰り返し実行される。
【００４８】
設備管理装置１は、定期的又はユーザが設定したタイミングで、協調制御情報１０１が送受信される周波数帯域をスキャンする（ステップＳ２０１）。具体的には、設備管理装置１の制御部１５は、協調制御情報１０１の要求を受信可能な状態に無線通信部１１を制御する。そのうえで、設備管理装置１の制御部１５は、予め定められたタイムアウト時間内に、制御端末２ａ、２ｂから協調制御情報１０１の送信要求信号を受信できたかどうかを判別する（ステップＳ２０２）。
【００４９】
協調制御情報１０１の送信要求信号を受信できていないと判別した場合（ステップＳ２０２；Ｎｏ）、ステップＳ２０１に戻る。
【００５０】
協調制御情報１０１の送信要求信号を受信できたと判別した場合（ステップＳ２０２；Ｙｅｓ）、設備管理装置１の制御部１５は、無線通信部１１を制御することによって、協調制御情報１０１の送信要求信号を送信してきた制御端末２ａ又は制御端末２ｂに協調制御情報１０１を送信する（ステップＳ２０３）。
【００５１】
以上説明したように、本実施形態に係る設備管理システム１００によれば、設備管理装置１の記憶部１３に記憶されている協調制御情報１０１に基づいて、制御端末２ａ、２ｂが、それぞれ個別的に複数の設備機器である空調機器３ａ〜３ｆを制御する。設備管理装置１は、ユーザによって協調制御情報１０１を設定入力され、制御端末２ａ、２ｂからの送信要求信号に応答してその協調制御情報１０１を返信する構成となっている。
【００５２】
この場合、設備管理装置１は、空調機器３ａ〜３ｆの各々の仕様情報の設定を受け付けるための構成と、空調機器３ａ〜３ｆを制御するための構成とを必要としない。そのため、簡易な構成とすることができる。
【００５３】
設備管理装置１の記憶部１３に設定されている協調制御情報１０１は、省エネレベルという抽象化した情報である。具体的な制御内容は、制御端末２ａ、２ｂの情報変換テーブル２０１に記憶されている。そのため、制御端末２ａ、２ｂ又は空調機器３ａ〜３ｆに機器交換、設定変更等が生じた場合であっても、ユーザは、設備管理装置１の記憶部１３に設定されている協調制御情報１０１に大幅な変更を加える必要がない。
【００５４】
このように、本実施形態に係る設備管理システム１００によれば、複数の空調機器３ａ〜３ｆの設備管理を簡易な構成で実現可能とし、ユーザの利便性を向上することができる。
【００５５】
また、本実施形態に係る設備管理システム１００によれば、制御端末２ａと制御端末２ｂとは、定期的又はユーザが設定したタイミングにおいて、空調機器３ａ、３ｂ又は空調機器３ｃ、３ｄ、３ｅ、３ｆの運用情報を設備管理装置１に送信している。設備管理装置１は、制御端末２ａ、２ｂから受信した運用情報を表示部１２に表示させている。この場合、ユーザは表示されている運用情報の内容を考慮して、設備管理装置１に協調制御情報１０１を設定することができる。
【００５６】
なお、本発明は、上記実施形態に限定されず、本発明の要旨を逸脱しない範囲での種々の変形及び応用が可能である。
【００５７】
上記実施形態において、設備管理システム１００で管理される設備機器は空調機器３ａ〜３ｆである。しかし、管理対象となる設備機器は、空調機器に限定されず、例えば、照明機器や換気機器であってもよい。あるいは、設備管理システム１００は、複数種類の設備機器を管理対象としてもよい。また、上記実施形態において、設備機器の台数は、空調機器３ａ〜３ｆの６台である。しかし、設備機器の台数は、これに限られない。例えば、５台以下であってもよいし、６台以上であってもよい。
【００５８】
空調機器と照明機器と換気機器とが管理対象となる場合、制御端末２ａ、２ｂには、空調機器用の情報変換テーブル２０１に加えて、照明機器用の情報変換テーブルと換気機器用の情報変換テーブルとを記憶させておく。制御端末２ａ、２ｂは、単一の協調制御情報１０１に基づいて、各々の情報変換テーブルを参照して各々の制御内容を決定する。例えば、照明機器用の情報変換テーブルは、照度の強弱、照明機器の電源オンオフ等の制御内容を含み、換気機器用の情報変換テーブルは、換気量の大小、換気機器の電源オンオフ等の制御内容を含む。情報変換テーブル２０１の変形例として、設備機器が照明機器と換気機器である場合の情報変換テーブル３０１を図８に示す。なお、制御内容は、スイッチのオンオフタイミングを設定するスケジュール設定であってもよい。
【００５９】
上記実施形態では、制御端末２ａ、２ｂが設備管理装置１の単一の協調制御情報１０１を共有する。また、制御端末２ａの情報変換テーブル２０１と、制御端末２ｂの情報変換テーブル２０１とは、同一内容である。しかし、本発明は、これに限られない。制御端末２ａ、２ｂがそれぞれ異なる情報変換テーブルを記憶し、空調機器群４ａと空調機器群４ｂとが異なる制御内容で制御されてもよい。また、例えば制御端末２ａ、２ｂのそれぞれが、複数の空調機器群を制御する構成としてもよい。この場合、制御端末２ａ、２ｂは、空調機器群毎に異なる情報変換テーブルを記憶し、空調機器群毎に異なる制御内容で制御することが可能となる。
【００６０】
上記実施形態において、協調制御情報１０１は、省エネレベルを示す情報としている。しかし、協調制御情報１０１は、例えば快適性を示す情報、協調制御を行う協調制御モード、協調制御を行わない個別制御モード等の制御モードを示す情報等であってもよいし、制御内容を抽象化したコード情報であってもよい。
【００６１】
また、協調制御情報１０１は、制御内容と直接的な関係がない情報であってもよい。例えば、設備管理装置１がインターネットを介して他の装置に接続可能に構成され、設備管理装置１が天気情報、災害情報等の情報を取得し、取得した情報を協調制御情報１０１としてもよい。
【００６２】
設備管理装置１は、スマートフォン、タブレット型端末等の持ち運び可能な無線通信端末であってもよく、ユーザの快適性に合わせた空調やユーザの移動に追従する制御を行うように構成されてもよい。
【００６３】
上記実施形態において、設備管理装置１と制御端末２ａ、２ｂとは無線通信を行うように構成され、制御端末２ａ、２ｂと空調機器３ａ〜３ｆとは有線通信を行うように構成されている。しかし、設備管理装置１と制御端末２ａ、２ｂと空調機器３ａ〜３ｆとの通信は有線通信であっても無線通信であってもよい。
【００６４】
上記実施形態において、制御端末２ａ、２ｂは、設備管理装置１に空調機器３ａ〜３ｆの運用情報を送信するように構成されている。しかし、制御端末２ａ、２ｂは、ＷＡＮ（World Area Network）を介して遠隔地にあるサーバに送信するように構成されてもよい。この場合、ユーザがサーバにアクセスして運用情報を遠隔監視することが可能となる。
【００６５】
さらに、設備管理装置１は、管理対象の設備機器が設置される建物から離れた遠隔地にあるクラウドサーバとされてもよい。この場合、複数の建物に配置された設備機器を一括して管理し、街全体を対象とした省エネ制御や特定のフロアだけの快適性を高くする制御を実現することも可能である。
【００６６】
上記実施形態において、設備管理装置１の協調制御情報１０１は、ユーザによって設定入力されている。しかし、本発明は、このような構成に限られない。制御端末２ａ、２ｂは、設備管理装置１に空調機器３ａ〜３ｆの運用情報を送信している。そのため、設備管理装置１が制御端末２ａ、２ｂから受信した運用情報に基づいて協調制御情報１０１を生成するように、設備管理システム１００が構成されてもよい。
【００６７】
本発明に係る設備管理装置１又は制御端末２ａ、２ｂの動作を規定する動作プログラムを既存のパーソナルコンピュータや情報端末装置に適用することで、当該パーソナルコンピュータ等を本発明に係る設備管理装置１又は制御端末２ａ、２ｂとして機能させることも可能である。
【００６８】
また、このようなプログラムの配布方法は任意であり、例えば、ＣＤ−ＲＯＭ（Compact Disk-Read Only Memory)、ＤＶＤ（Digital Versatile Disk）、メモリカードなどのコンピュータ読み取り可能な記録媒体に格納して配布してもよいし、インターネットなどの通信ネットワークを介して配布してもよい。
【符号の説明】
【００６９】
１  設備管理装置、２ａ，２ｂ  制御端末、３ａ，３ｂ，３ｃ，３ｄ，３ｅ，３ｆ  空調機器、４ａ，４ｂ  空調機器群、１１，２１  無線通信部、１２  表示部、１３，２３  記憶部、１４，２４  入力部、１５，２５  制御部、２２  空調通信部、１６，２６  バス、１００  設備管理システム、１０１  協調制御情報、２０１  情報変換テーブル、２０２  協調制御情報取得部、２０３  運用情報取得部、２０４  制御内容送信制御部
【図１】
2017203587.tif 000003
【図２】
2017203587.tif 000004
【図３】
2017203587.tif 000005
【図４】
2017203587.tif 000006
【図５】
2017203587.tif 000007
【図６】
2017203587.tif 000008
【図７】
2017203587.tif 000009
【図８】
2017203587.tif 000010